Podtech/llm-jp-corpus-v4-ja_patent huggingface dataset:
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
患者に提供される薬剤の情報を取得する薬剤情報取得手段と、
前記患者に提供される前記薬剤の使用時期、使用方法、又は注意事項の少なくともいずれかが、第１の言語で表された文字を含むピクトグラムを取得する図像取得手段と、
前記薬剤情報取得手段によって取得された前記薬剤の情報と、前記図像取得手段によって取得された前記文字を含むピクトグラムとに基づいて、前記患者に対して薬剤に関する情報を提供するための薬剤情報提供手段と、
を備え、
前記薬剤情報提供手段は、前記第１の言語とは異なる第２の言語で表された前記薬剤の情報と、前記第１の言語で表された前記文字を含むピクトグラムとを有する前記薬剤に関する情報を提供し、
前記文字を含むピクトグラムには優先順位が設定され、前記薬剤に関する情報が表される領域の大きさ及び前記優先順位に応じて、前記文字を含むピクトグラムの表示内容を変更する、
ことを特徴とする薬剤情報提供装置。
【請求項２】
前記薬剤の情報と、前記図像取得手段によって取得された前記文字を含むピクトグラムに基づいて、薬剤説明書を作成する作成手段を備え、
前記薬剤情報提供手段は、前記作成手段によって作成された前記薬剤説明書を、前記薬剤に関する情報として提供する、
ことを特徴とする請求項１に記載の薬剤情報提供装置。
【請求項３】
前記薬剤情報取得手段は、前記患者に対して発行された処方箋の情報に基づいて、前記薬剤の情報を取得する、
ことを特徴とする請求項１又は２に記載の薬剤情報提供装置。
【請求項４】
前記文字を含むピクトグラムが表す前記注意事項は、前記薬剤の服用に関する注意事項、飲み合わせに関する注意事項、又は、服用後の注意事項の少なくともいずれかを含む、
ことを特徴とする請求項１乃至３の何れか１項に記載の薬剤情報提供装置。
【請求項５】
前記文字を含むピクトグラムは、ユニバーサルデザインされた絵柄を含む、
ことを特徴とする請求項１乃至４の何れか１項に記載の薬剤情報提供装置。
【請求項６】
前記薬剤情報提供手段は、前記薬剤に関する情報を画面表示又は印刷によって提供する、
ことを特徴とする請求項１乃至５の何れか１項に記載の薬剤情報提供装置。
【請求項７】
第２の言語で表された患者に提供される薬剤の情報と、前記第２の言語とは異なる第１の言語で表された文字を含むピクトグラムとを有する薬剤に関する情報を提供する薬局端末と通信可能に構成されたサーバであって、
前記薬局端末からの要求に応じて、前記第２の言語で表された前記薬剤の情報と、当該薬剤の使用時期、使用方法、又は注意事項の少なくともいずれかが前記第１の言語で表された前記文字を含むピクトグラムとを前記薬局端末に提供し、
前記文字を含むピクトグラムには優先順位が設定され、前記薬剤に関する情報が表される領域の大きさ及び前記優先順位に応じて、前記文字を含むピクトグラムの表示内容を変更することを特徴とするサーバ。
【請求項８】
薬剤情報提供装置が実行する薬剤情報提供方法であって、
患者に提供される薬剤の情報を取得する薬剤情報取得ステップと、
前記患者に提供される前記薬剤の使用時期、使用方法、又は注意事項の少なくともいずれかが、第１の言語で表された文字を含むピクトグラムを取得する図像取得ステップと、
前記薬剤情報取得ステップにおいて取得された前記薬剤の情報と、前記図像取得ステップにおいて取得された前記文字を含むピクトグラムとに基づいて、前記患者に対して薬剤に関する情報を提供するための薬剤情報提供ステップと、
を含み、
前記薬剤情報提供ステップでは、前記第１の言語とは異なる第２の言語で表された前記薬剤の情報と、前記第１の言語で表された前記文字を含むピクトグラムとを有する前記薬剤に関する情報を提供し、
前記文字を含むピクトグラムには優先順位が設定され、前記薬剤に関する情報が表される領域の大きさ及び前記優先順位に応じて、前記文字を含むピクトグラムの表示内容を変更する、
ことを特徴とする薬剤情報提供方法。
【請求項９】
コンピュータを、
患者に提供される薬剤の情報を取得する薬剤情報取得手段、
前記患者に提供される前記薬剤の使用時期、使用方法、又は注意事項の少なくともいずれかが、第１の言語で表された文字を含むピクトグラムを取得する図像取得手段、
前記薬剤情報取得手段によって取得された前記薬剤の情報と、前記図像取得手段によって取得された前記文字を含むピクトグラムとに基づいて、前記患者に対して薬剤に関する情報を提供するための薬剤情報提供手段、
として機能させ、
前記薬剤情報提供手段は、前記第１の言語とは異なる第２の言語で表された前記薬剤の情報と、前記第１の言語で表された前記文字を含むピクトグラムとを有する前記薬剤に関する情報を提供し、
前記文字を含むピクトグラムには優先順位が設定され、前記薬剤に関する情報が表される領域の大きさ及び前記優先順位に応じて、前記文字を含むピクトグラムの表示内容を変更する、
ことを特徴とするプログラム。
【請求項１０】
第２の言語で表された患者に提供される薬剤の情報と、前記第２の言語とは異なる第１の言語で表された文字を含むピクトグラムとを有する薬剤に関する情報を提供する薬局端末と通信可能に構成されたサーバが実行する薬剤情報提供方法であって、
前記薬局端末からの要求に応じて、前記第２の言語で表された前記薬剤の情報と、当該薬剤の使用時期、使用方法、又は注意事項の少なくともいずれかが前記第１の言語で表された前記文字を含むピクトグラムとを前記薬局端末に提供する薬剤情報提供ステップを含み、
前記文字を含むピクトグラムには優先順位が設定され、前記薬剤に関する情報が表される領域の大きさ及び前記優先順位に応じて、前記文字を含むピクトグラムの表示内容を変更することを特徴とする薬剤情報提供方法。
【請求項１１】
第２の言語で表された患者に提供される薬剤の情報と、前記第２の言語とは異なる第１の言語で表された文字を含むピクトグラムとを有する薬剤に関する情報を提供する薬局端末と通信可能に構成されたサーバを構成するコンピュータを、
前記薬局端末からの要求に応じて、前記第２の言語で表された前記薬剤の情報と、当該薬剤の使用時期、使用方法、又は注意事項の少なくともいずれかが前記第１の言語で表された前記文字を含むピクトグラムとを前記薬局端末に提供する薬剤情報提供手段として機能させ、
前記文字を含むピクトグラムには優先順位が設定され、前記薬剤に関する情報が表される領域の大きさ及び前記優先順位に応じて、前記文字を含むピクトグラムの表示内容を変更することを特徴とするプログラム。
【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
表示部と、前記表示部に表示する各画面の色情報を反転する色反転モードを有する情報処理装置であって、
前記色反転モードを使用する設定がなされている場合であって、前記表示部に表示すべき画面が、第１操作を受け付けた場合に表示される、外部装置によって読み取られるコード画像と、第１の表示アイテムを少なくとも含む第１画面である場合、前記コード画像を色反転していない当該第１画面を前記表示部に表示するよう制御する表示制御手段を有し、
前記色反転モードを使用する設定がなされている場合であって、前記表示部に表示すべき画面が、第２操作を受け付けた場合に表示される、前記コード画像を含まない第２画面である場合、前記表示制御手段は、前記第２画面を色反転状態で前記表示部に表示するよう制御することを特徴とする情報処理装置。
【請求項２】
前記色反転モードを使用する設定がなされている場合であって、前記表示部に表示すべき画面が前記第１画面である場合、前記表示制御手段は、前記コード画像が色反転しておらず、前記第１の表示アイテムが色反転した状態の前記第１画面を表示部に表示するよう制御することを特徴とする請求項１に記載の情報処理装置。
【請求項３】
前記色反転モードを使用する設定がなされている場合に、色反転処理を実行する反転手段を、更に有し、
前記色反転モードを使用する設定がなされている場合であって、前記表示部に表示すべき画面が前記第１画面である場合、前記表示制御手段は、前記第１画面を構成する画面コンポーネントであって、前記コード画像を構成しない画面コンポーネントの各画素値を前記反転手段で前記色反転処理を実行した画像を前記表示部に表示し、前記コード画像を構成する画面コンポーネントの各画素値に対応する画像に対しては前記反転手段による前記色反転処理を行うことなく前記表示部に表示するよう制御することを特徴とする請求項１または２に記載の情報処理装置。
【請求項４】
前記第１画面及び、前記第２画面を少なくとも含む複数の画面を生成することが可能な生成手段と、
前記色反転モードを使用する設定がなされている場合、前記生成手段によって生成された画面を構成する全ての画素の画素値を反転する色反転処理を実行し、画面の色情報を反転する反転手段とを、更に有し、
前記表示制御手段は、前記色反転モードが有効に設定されている場合に、前記反転手段で色反転処理が実行された画面を前記表示部に表示するよう制御し、前記色反転モードが有効に設定されていない場合に、前記生成手段で生成された画面であって、前記反転手段による前記色反転処理を行っていない画面を前記表示部に表示するよう制御し、
前記生成手段は、前記第１画面を生成する場合であって、かつ、前記色反転モードが有効に設定されている場合に、前記コード画像に対応する表示オブジェクトの各画素の画素値を色反転した表示オブジェクトと、前記コード画像に対応しない他の表示オブジェクトであって、前記色反転処理を実行していない前記他の表示オブジェクトを含む画面を生成することを特徴とする請求項１又は２に記載の情報処理装置。
【請求項５】
前記反転手段が実行する色反転処理は、前記表示部に表示すべき画面を構成する各画素の画素値をビット反転する処理であることを特徴とする請求項３又は４に記載の情報処理装置。
【請求項６】
前記コード画像は、無線通信の認証情報を含むコード画像であることを特徴とする請求項１乃至５のいずれか１項に記載の情報処理装置。
【請求項７】
前記コード画像は、アクセスポイントに接続するためのＳＳＩＤとキーの情報を含むコード画像であることを特徴とする請求項１乃至５のいずれか１項に記載の情報処理装置。
【請求項８】
前記第１画面は、前記アクセスポイントに接続するためのＳＳＩＤとキーを示す文字情報を更に含む画面であることを特徴とする請求項７に記載の情報処理装置。
【請求項９】
前記コード画像は、ＱＲコード（登録商標）であることを特徴とする請求項１乃至８のいずれか１項に記載の情報処理装置。
【請求項１０】
前記情報処理装置は、印刷装置であることを特徴とする請求項１乃至９のいずれか１項に記載の情報処理装置。
【請求項１１】
前記色反転モードを有効にするか否を設定する操作を受け付ける受付手段を更に有することを特徴とする請求項１乃至１０のいずれか１項に記載の情報処理装置。
【請求項１２】
表示部と、前記表示部に表示する各画面の色情報を反転する色反転モードを有する情報処理装置の制御方法であって、
前記色反転モードを使用する設定がなされている場合であって、前記表示部に表示すべき画面が、第１操作を受け付けた場合に表示される、外部装置によって読み取られるコード画像と、第１の表示アイテムを少なくとも含む第１画面である場合、前記コード画像を色反転していない当該第１画面を前記表示部に表示するよう制御する表示制御工程を有し、
前記色反転モードを使用する設定がなされている場合であって、前記表示部に表示すべき画面が、第２操作を受け付けた場合に表示される、前記コード画像を含まない第２画面である場合、前記表示制御工程は、前記第２画面を色反転状態で前記表示部に表示するよう制御することを特徴とする制御方法。
【請求項１３】
コンピュータに、請求項１２に記載の制御方法の各工程のすべてを実行させるためのプログラム。
【手続補正２】
【補正対象書類名】明細書
【補正対象項目名】０００８
【補正方法】変更
【補正の内容】
【０００８】
上記目的を達成するために本発明の一態様に係る情報処理装置は以下のような構成を備える。即ち、
表示部と、前記表示部に表示する各画面の色情報を反転する色反転モードを有する情報処理装置であって、
前記色反転モードを使用する設定がなされている場合であって、前記表示部に表示すべき画面が、第１操作を受け付けた場合に表示される、外部装置によって読み取られるコード画像と、第１の表示アイテムを少なくとも含む第１画面である場合、前記コード画像を色反転していない当該第１画面を前記表示部に表示するよう制御する表示制御手段を有し、
前記色反転モードを使用する設定がなされている場合であって、前記表示部に表示すべき画面が、第２操作を受け付けた場合に表示される、前記コード画像を含まない第２画面である場合、前記表示制御手段は、前記第２の画面を色反転状態で前記表示部に表示するよう制御することを特徴とする。
【手続補正書】
【提出日】令和3年8月3日(2021.8.3)
【手続補正１】
【補正対象書類名】特許請求の範囲
【補正対象項目名】全文
【補正方法】変更
【補正の内容】
【特許請求の範囲】
【請求項１】
陳列棚に設置される端末装置であって、 前記端末装置は、動画の再生をするための指示を受け付ける入力部と、 前記指示に基づいて、（１）第１のレシピの調理風景を撮影した動画であって、前記第１のレシピに含まれる複数の調理工程のうち一部の調理工程を示す動画と前記第１のレシピに関する情報を示す静止画とを合わせて表示するレシピ動画と、（２）広告と、を前記端末装置の表示部に表示する出力制御手段とを備えることを特徴とする端末装置。
【請求項２】
前記第１のレシピに含まれる前記複数の調理工程のうち一部の調理工程は前記レシピ動画において示されないことを特徴とする請求項１に記載の端末装置。
【請求項３】
前記出力制御手段は、前記レシピ動画を異なるレシピに関して所定の回数表示するごとに、広告を表示することを特徴とする請求項１または２に記載の端末装置。
【請求項４】
前記第１のレシピに関する情報とは、前記第１のレシピの食材の静止画であることを特徴とする請求項１乃至３のいずれか１項に記載の端末装置。
【請求項５】
前記第１のレシピに関する情報とは、前記第１のレシピの料理の静止画であることを特徴とする請求項１乃至４のいずれか１項に記載の端末装置。
【請求項６】
前記表示部はタッチパネルを備えており、  前記表示部には、前記レシピ情報もしくは前記広告の再生中に、動画の再生を停止するための再生停止ボタンが表示されていないことを特徴とする請求項１乃至５のいずれか１項に記載の端末装置。
【請求項７】
前記陳列棚には、レシピカードが陳列されていることを特徴とする請求項１乃至６のいずれか１項に記載の端末装置。
【請求項８】
前記端末装置の通信部と通信可能なサーバであって、  前記サーバは、ＷＥＢサーバ機能を有するコンピュータから、前記コンピュータとネットワークを介して接続するユーザの装置からの要求に応じて、当該ユーザの装置に動画を提供可能であり、  前記通信部を介して、前記端末装置において表示される前記第１のレシピを示す前記レシピ動画の再生時間よりも、前記ユーザの装置からの要求に応じて表示される前記第１のレシピを示す動画の再生時間の方が長いことを特徴とする請求項１乃至７のいずれか１項に記載の端末装置。
【請求項９】
陳列棚に設置される端末装置に動画を配信するサーバであって、  前記端末装置は、  前記端末装置の表示部における動画の再生をするための指示を受け付ける入力部と、  前記指示に基づいて、（１）第１のレシピの複数の調理工程を含む一連の調理風景を撮影した映像である第１のレシピ動画とは再生時間が異なるように編集された第２のレシピ動画と、（２）広告と、を再生する出力制御部と、を備え、  前記第１のレシピ動画は、料理情報を提供するためのＷＥＢサーバ機能を有するコンピュータから、前記コンピュータとネットワークを介して接続するユーザの装置からの要求に応じて、当該ユーザの装置に提供されるものであり、  前記サーバは、前記端末装置と通信することにより、  前記端末装置の前記出力制御部に、前記第２のレシピ動画を再生させる、サーバ。
【請求項１０】
前記第１のレシピ動画よりも前記第２のレシピ動画は再生時間が短縮化されるよう編集されていることを特徴とする請求項９に記載のサーバ。
【請求項１１】
前記広告は、レシピ動画または前記陳列棚が配置された売り場に関する広告であることを特徴とする請求項１乃至１０のいずれか１項に記載の端末装置。
【請求項１２】
陳列棚に設置される端末装置に動画を配信する配信方法であって、  前記端末装置は、動画の再生をするための指示を受け付ける入力ステップと、  前記指示に基づいて、（１）レシピの調理風景を撮影した動画であって、前記レシピに含まれる複数の調理工程のうち一部の調理工程を示す動画と前記レシピに関する情報を示す静止画とを合わせて表示するレシピ動画と、（２）広告と、を前記端末装置の表示部に表示する出力ステップとを備えることを特徴とする配信方法。
【請求項１３】
コンピュータを、請求項１乃至８のいずれか１項に記載された端末装置の各手段として機能させるためのプログラム。
【請求項１４】
陳列棚に設置される端末装置に動画を配信するサーバにおける動画の配信方法であって、  前記端末装置においては、  前記端末装置の表示部における動画の再生をするための指示を受け付ける入力部と、  前記指示に基づいて、（１）第１のレシピの複数の調理工程を含む一連の調理風景を撮影した映像である第１のレシピ動画とは再生時間が異なるように編集された第２のレシピ動画と、（２）広告と、を再生する出力制御部と、を備え、  前記第１のレシピ動画を、料理情報を提供するためのＷＥＢサーバ機能を有するコンピュータから、前記コンピュータとネットワークを介して接続するユーザの装置からの要求に応じて、当該ユーザの装置に提供する提供ステップと、  前記サーバと前記端末装置とが通信することにより、前記端末装置の前記出力制御部に、前記第２のレシピ動画を再生させるステップとを有することを特徴とする、動画の配信方法。
【手続補正２】
【補正対象書類名】明細書
【補正対象項目名】発明の名称
【補正方法】変更
【補正の内容】
【発明の名称】端末装置、サーバ及びその制御方法、プログラム
【手続補正３】
【補正対象書類名】明細書
【補正対象項目名】０００１
【補正方法】変更
【補正の内容】
【０００１】  本発明は、端末装置、サーバ及びその制御方法、プログラムに関する。
【手続補正４】
【補正対象書類名】明細書
【補正対象項目名】０００５
【補正方法】変更
【補正の内容】
【０００５】  本発明は、上記の点に鑑みてなされたものであり、店舗での再生に適した調理動画を提供することができる端末装置、サーバ及びその制御方法、プログラムを提供することを目的の一つとする。
【手続補正５】
【補正対象書類名】明細書
【補正対象項目名】０００６
【補正方法】変更
【補正の内容】
【０００６】  本発明の一態様は、陳列棚に設置される端末装置であって、前記端末装置は、動画の再生をするための指示を受け付ける入力部と、前記指示に基づいて、（１）第１のレシピの調理風景を撮影した動画であって、前記第１のレシピに含まれる複数の調理工程のうち一部の調理工程を示す動画と前記第１のレシピに関する情報を示す静止画とを合わせて表示するレシピ動画と、（２）広告と、を前記端末装置の表示部に表示する出力制御手段とを備えることを特徴とする。
【手続補正書】
【提出日】令和3年9月8日(2021.9.8)
【手続補正１】
【補正対象書類名】特許請求の範囲
【補正対象項目名】全文
【補正方法】変更
【補正の内容】
【特許請求の範囲】
【請求項１】
商品情報を取得する取得手段と、
前記取得手段により取得された商品情報に応じた取引を保留する保留手段と、
前記保留手段により保留された取引を識別する識別情報を媒体に印刷する印刷手段と、
前記媒体に印刷された識別情報が読取手段により読み取られたことに応じて、読み取られた識別情報により示される取引を再開させる再開手段と、
前記識別情報が読み取られた際に、前記保留手段により保留された取引とは異なる取引が既に生成されていた場合には、前記再開手段による前記保留された取引の再開を禁止させる禁止手段と
を備える商品販売データ処理装置。
【請求項２】
前記印刷手段は、前記保留手段により保留された取引に関する金額の情報を媒体に印刷する
請求項１に記載の商品販売データ処理装置。
【請求項３】
所定の位置範囲における物体を検出する検出手段を備え、
前記禁止手段は、
前記取得手段が読み取りによって商品情報を取得した際に、前記検出手段が物体を検出していなければ、前記取得手段が読み取りによって取得した商品情報と、以降において取得される商品情報に応じた取引に含め、前記検出手段が物体を検出していれば、前記取得手段が読み取りによって取得した商品情報を、以降において取得される商品情報に応じた取引に含めないようにする
請求項１または２に記載の商品販売データ処理装置。
【請求項４】
商品販売データ処理装置としてのコンピュータを、
商品情報を取得する取得手段、
前記取得手段により取得された商品情報に応じた取引を保留する保留手段、
前記保留手段により保留された取引を識別する識別情報を媒体に印刷する印刷手段、
前記媒体に印刷された識別情報が読取手段により読み取られたことに応じて、読み取られた識別情報により示される取引を再開させる再開手段、
前記識別情報が読み取られた際に、前記保留手段により保留された取引とは異なる取引が既に生成されていた場合には、前記再開手段による前記保留された取引の再開を禁止させる禁止手段
として機能させるためのプログラム。
【請求項５】
商品販売データ処理装置における商品販売データ処理方法であって、
商品情報を取得する取得ステップと、
前記取得ステップにより取得された商品情報に応じた取引を保留する保留ステップと、
前記保留ステップにより保留された取引を識別する識別情報を媒体に印刷する印刷ステップと、
前記媒体に印刷された識別情報が読取手段により読み取られたことに応じて、読み取られた識別情報により示される取引を再開させる再開ステップと、
前記識別情報が読み取られた際に、前記保留ステップにより保留された取引とは異なる取引が既に生成されていた場合には、前記再開ステップによる前記保留された取引の再開を禁止させる禁止ステップと
を備える商品販売データ処理方法。
【手続補正書】
【提出日】令和3年8月26日(2021.8.26)
【手続補正１】
【補正対象書類名】特許請求の範囲
【補正対象項目名】全文
【補正方法】変更
【補正の内容】
【特許請求の範囲】
【請求項１】
屋根と、
前記屋根から躯体に向けて突出する閉塞部材と、を備え、
前記閉塞部材の基端側の部分は、前記屋根の端部に設けられる端部枠にネジによって固定され、
前記ネジは、前記閉塞部材の基端側の部分と前記屋根の端部枠とを、前記閉塞部材の下側から固定可能な位置に設けられる建物添設用独立構築物。
【請求項２】
前記ネジは、頭部と、前記頭部に接続される軸部と、を有し、
前記ネジは、前記閉塞部材の下側に配置され、前記頭部が前記軸部よりも下方側に位置した状態で、前記閉塞部材の基端側の部分と前記屋根の端部枠とを固定する、請求項１に記載の建物添設用独立構築物。
【手続補正書】
【提出日】令和3年8月12日(2021.8.12)
【手続補正１】
【補正対象書類名】特許請求の範囲
【補正対象項目名】全文
【補正方法】変更
【補正の内容】
【特許請求の範囲】
【請求項１】
媒体を受け入れる第１受入部と、前記第１受入部から受け入れられた前記媒体に対して第１の処理を行う第１処理部と、前記第１受入部から受け入れられた媒体を前記第１処理部を経由させずに送り出す送出部と、を備える第１ユニットと、
前記第１ユニットの外側に設けられ、前記第１ユニットから排出される前記第１の処理後の前記媒体を受ける第１トレイと、を備え、
前記第１ユニットは、前記送出部から送り出される前記媒体を受け入れる第２受入部、及び前記第２受入部から受け入れられた前記媒体に対して第２の処理を行う第２処理部を備える第２ユニットを、前記第１トレイの下方において着脱可能に構成される、
ことを特徴とする媒体処理装置。
【請求項２】
請求項１に記載の媒体処理装置において、
前記第１ユニットは、前記第２ユニットに設けられる被装着部と接続されることにより、当該第１ユニットに対して前記第２ユニットが装着される装着部を備え、前記装着部と前記被装着部との接続により前記第１ユニットと第２ユニットとが電気的に接続される、
ことを特徴とする媒体処理装置。
【請求項３】
請求項１または請求項２に記載の媒体処理装置において、
前記第２ユニットの外観を構成する筐体は、前記第１ユニットからの媒体排出方向に対して前記第１トレイと重なる、
ことを特徴とする媒体処理装置。
【請求項４】
請求項１から請求項３のいずれか一項に記載の媒体処理装置において、
前記第１処理部は、前記第１の処理として複数の前記媒体の端部を綴じる端綴じ処理を行い、
前記第２処理部は、前記第２の処理として複数の前記媒体の幅方向の中央を綴じて折る中綴じ処理を行う、
ことを特徴とする媒体処理装置。
【請求項５】
請求項１から請求項４のいずれか一項に記載の媒体処理装置において、
前記第２ユニットは、内部に設けられる媒体搬送経路の一部を開放するカバーを備える、
ことを特徴とする媒体処理装置。
【請求項６】
媒体に記録を行う記録部を備える記録ユニットと、
前記記録部による記録後の前記媒体を前記第１受入部から受け入れる請求項１から請求項５のいずれか一項に記載の前記媒体処理装置と、
を備えることを特徴とする記録システム。
【請求項７】
請求項６に記載の記録システムにおいて、
前記第２ユニットは、前記記録部よりも鉛直方向において下方に位置する、
を備えることを特徴とする記録システム。
【請求項８】
請求項６または請求項７に記載の記録システムにおいて、
前記記録部は、前記媒体に対して液体を吐出して記録を行う構成であり、
前記記録部による記録後の前記媒体を、前記記録ユニットから前記媒体処理装置の前記第１受入部に受け渡す中間ユニットを備える、
ことを特徴とする記録システム。
【請求項９】
媒体を受け入れる第１受入部、前記第１受入部から受け入れられた前記媒体に対して第１の処理を行う第１処理部、および前記第１受入部から受け入れられた媒体を前記第１処理部を経由させずに送り出す送出部を備える第１ユニットと、前記第１ユニットの外側に設けられ、前記第１ユニットから排出される前記第１の処理後の前記媒体を受ける第１トレイと、を備える媒体処理装置に対して取り付けられる装置ユニットであって、
前記送出部から送り出される前記媒体を受け入れる第２受入部、及び前記第２受入部から受け入れられた前記媒体に対して第２の処理を行う第２処理部を備えるとともに、前記第１トレイの下方において前記第１ユニットに対して着脱可能に構成される、
ことを特徴とする装置ユニット。
【請求項１０】
請求項９に記載の装置ユニットにおいて、
前記第２処理部は、前記第２の処理として複数の前記媒体の幅方向の中央を綴じて折る中綴じ処理を行う、
ことを特徴とする装置ユニット。
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
樹脂基板を、加熱下で熱曲げ加工を施す際に、前記樹脂基板に貼付して用いられる保護フィルムであって、
基材層と、該基材層と前記樹脂基板との間に位置し、前記樹脂基板に粘着する粘着層とを有し、
前記基材層は、前記粘着層の反対側に位置し、熱可塑性樹脂を含有する融点が１５０℃以上の第１の層と、前記粘着層側に位置し、熱可塑性樹脂を含有する融点が１３０℃未満の第２の層とを有する積層体で構成され、
前記粘着層は、熱可塑性樹脂を含有する融点が１５０℃未満のもので構成され、
前記第２の層が含有する前記熱可塑性樹脂は、低密度ポリエチレンであり、ＪＩＳ  Ｋ７２１０に準拠して、加熱温度１９０℃、荷重２．１６ｋｇｆの条件下において測定されるメルトフローレートが０．９ｇ／１０ｍｉｎ以上３．０ｇ／１０ｍｉｎ以下であることを特徴とする保護フィルム。
【請求項２】
前記第１の層が含有する前記熱可塑性樹脂は、ポリオレフィンである請求項１に記載の保護フィルム。
【請求項３】
前記粘着層が含有する前記熱可塑性樹脂は、融点が１５０℃未満のポリオレフィンと、エラストマーとである請求項１または２に記載の保護フィルム。
【請求項４】
前記粘着層が含有する前記エラストマーは、スチレン−オレフィン−スチレンブロック共重合体を含む請求項３に記載の保護フィルム。
【請求項５】
前記第１の層は、その平均厚さが１０μｍ以上８０μｍ以下である請求項１ないし４のいずれか１項に記載の保護フィルム。
【請求項６】
前記第２の層は、その平均厚さが１０μｍ以上６０μｍ以下である請求項１ないし５のいずれか１項に記載の保護フィルム。
【請求項７】
前記樹脂基板の両面に貼付される請求項１ないし６のいずれか１項に記載の保護フィルム。
【請求項８】
前記樹脂基板は、両面、一方の面または他方の面に、ポリカーボネート樹脂層、ポリアミド樹脂層およびセルロース樹脂層のうちの少なくとも１層を有する単層体または積層体で構成される被覆層を備える請求項１ないし７のいずれか１項に記載の保護フィルム。
【請求項９】
前記樹脂基板は、プレス成形または真空成形により、前記熱曲げ加工が施される請求項１ないし８のいずれか１項に記載の保護フィルム。
【手続補正２】
【補正対象書類名】明細書
【補正対象項目名】０００９
【補正方法】変更
【補正の内容】
【０００９】
このような目的は、下記（１）〜（９）に記載の本発明により達成される。
（１）  樹脂基板を、加熱下で熱曲げ加工を施す際に、前記樹脂基板に貼付して用いられる保護フィルムであって、
基材層と、該基材層と前記樹脂基板との間に位置し、前記樹脂基板に粘着する粘着層とを有し、
前記基材層は、前記粘着層の反対側に位置し、熱可塑性樹脂を含有する融点が１５０℃以上の第１の層と、前記粘着層側に位置し、熱可塑性樹脂を含有する融点が１３０℃未満の第２の層とを有する積層体で構成され、
前記粘着層は、熱可塑性樹脂を含有する融点が１５０℃未満のもので構成され、
前記第２の層が含有する前記熱可塑性樹脂は、低密度ポリエチレンであり、ＪＩＳ  Ｋ７２１０に準拠して、加熱温度１９０℃、荷重２．１６ｋｇｆの条件下において測定されるメルトフローレートが０．９ｇ／１０ｍｉｎ以上３．０ｇ／１０ｍｉｎ以下であることを特徴とする保護フィルム。
【手続補正３】
【補正対象書類名】明細書
【補正対象項目名】００１０
【補正方法】変更
【補正の内容】
【００１０】
（２）  前記第１の層が含有する前記熱可塑性樹脂は、ポリオレフィンである上記（１）に記載の保護フィルム。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
（５）  前記第１の層は、その平均厚さが１０μｍ以上８０μｍ以下である上記（１）ないし（４）のいずれかに記載の保護フィルム。
【手続補正６】
【補正対象書類名】明細書
【補正対象項目名】００１５
【補正方法】変更
【補正の内容】
【００１５】
（６）  前記第２の層は、その平均厚さが１０μｍ以上６０μｍ以下である上記（１）ないし（５）のいずれかに記載の保護フィルム。
【手続補正７】
【補正対象書類名】明細書
【補正対象項目名】００１６
【補正方法】変更
【補正の内容】
【００１６】
（７）  前記樹脂基板の両面に貼付される上記（１）ないし（６）のいずれかに記載の保護フィルム。
【手続補正８】
【補正対象書類名】明細書
【補正対象項目名】００１７
【補正方法】変更
【補正の内容】
【００１７】
（８）  前記樹脂基板は、両面、一方の面または他方の面に、ポリカーボネート樹脂層、ポリアミド樹脂層およびセルロース樹脂層のうちの少なくとも１層を有する単層体または積層体で構成される被覆層を備える上記（１）ないし（７）のいずれかに記載の保護フィルム。
【手続補正９】
【補正対象書類名】明細書
【補正対象項目名】００１８
【補正方法】変更
【補正の内容】
【００１８】
（９）  前記樹脂基板は、プレス成形または真空成形により、前記熱曲げ加工が施される上記（１）ないし（８）のいずれかに記載の保護フィルム。
【手続補正書】
【提出日】令和3年4月8日(2021.4.8)
【手続補正１】
【補正対象書類名】明細書
【補正対象項目名】００５３
【補正方法】変更
【補正の内容】
【００５３】
ＭＡＣアドレスは、汎用ＥＣＵ３の車内通信部３２がＥｔｈｅｒｎｅｔに対応した通信ポートである場合、データリング層に対応するアドレスである。ＭＡＣアドレスは、当該車内通信部３２の製造時付与される番号であり、製造者を示すベンダーコード及び製造時の連番等により構成され、当該ＥＣＵを一意に特定することができるユニークな番号である。ＩＰアドレスは、車内通信部３２がＥｔｈｅｒｎｅｔに対応した通信ポートである場合、ＴＣＰ／ＩＰを用いた通信を行う際のネットワーク層に対応するアドレスである。
【手続補正２】
【補正対象書類名】明細書
【補正対象項目名】００５５
【補正方法】変更
【補正の内容】
【００５５】
汎用ＥＣＵ３の構成情報は、当該汎用ＥＣＵ３を識別するための識別情報を含む。ＩＰアドレスは、車内通信部３２の設定に応じて任意に決定できるアドレスであるため、汎用ＥＣＵ３を識別するための識別情報としては、シリアル番号又はＭＡＣアドレスを用いることが望ましい。
【手続補正３】
【補正対象書類名】明細書
【補正対象項目名】００９２
【補正方法】変更
【補正の内容】
【００９２】
図６において、一例として３つの汎用ＥＣＵ３及び２つの車載装置７が示されている。汎用ＥＣＵ３夫々は、２本のワイヤーハーネスにより、２つの車載装置７夫々と接続されている。すなわち、汎用ＥＣＵ３と車載装置７とによる全ての組合せに対応するように、汎用ＥＣＵ３夫々と車載装置７夫々は、ワイヤーハーネスによって接続されている。
【手続補正４】
【補正対象書類名】図面
【補正対象項目名】図４
【補正方法】変更
【補正の内容】
【図４】
2020075580.tif 000001
【手続補正書】
【提出日】令和3年6月23日(2021.6.23)
【手続補正１】
【補正対象書類名】特許請求の範囲
【補正対象項目名】全文
【補正方法】変更
【補正の内容】
【特許請求の範囲】
【請求項１】
車両の周辺における路面のそれぞれの走行抵抗の大きさを算出することができる路面抵抗算出部と、前記路面抵抗算出部により算出された走行抵抗の大きさに応じて駆動力源の駆動トルクを制御するトルク制御部とを備えた駆動力制御装置において、
前記路面抵抗算出部により算出された走行抵抗が所定値以上となる高抵抗部と車輪との距離を算出することができる距離算出部を更に備え、
前記トルク制御部は、前記路面抵抗算出部により算出された走行抵抗の大きさと、前記距離算出部により算出された前記高抵抗部と前記車輪との距離とに応じて、前記高抵抗部を走破可能な駆動トルクを前記駆動力源から出力するように構成されている
ことを特徴とする駆動力制御装置。
【請求項２】
請求項１に記載の駆動力制御装置において、
前記車両は、周辺の路面状況を検出するカメラを備え、
前記路面抵抗算出部は、前記カメラの画像データにより、前記路面の走行抵抗を算出するように構成されている
ことを特徴とする駆動力制御装置。
【請求項３】
請求項１または２に記載の駆動力制御装置において、
前記高抵抗部を走破する場合は、前記駆動力源の予め定められた上限トルク以上のトルクを出力するように構成されている
ことを特徴とする駆動力制御装置。
【請求項４】
請求項１ないし３のいずれか一項に記載の駆動力制御装置において、
前記車両の進行方向における前方側の前記高抵抗部を走破するための駆動トルクと、前記駆動力源から出力可能な駆動トルクとに基づいて、前記高抵抗部を走破するために必要な前記車両の慣性力を求め、
前記慣性力を発生させるために要する前記高抵抗部までの距離を算出し、
前記算出された前記高抵抗部までの距離に基づいて前記車両の減速度を増大させて、前記算出された前記高抵抗部までの距離を確保した地点に停車するように構成されている
ことを特徴とする駆動力制御装置。
【請求項５】
請求項１ないし４のいずれか一項に記載の駆動力制御装置において、
前記トルク制御部により求められた駆動トルクが、運転操作に基づく駆動トルクよりも大きい場合には、前記車両の運転者に通知するように構成されている
ことを特徴とする駆動力制御装置。
【請求項６】
請求項５に記載の駆動力制御装置において、
前記高抵抗部と前記車両との距離が所定値以下となった場合に、前記トルク制御部により、前記運転操作に基づく駆動トルクよりも大きな駆動トルクが求められる
ことを特徴とする駆動力制御装置。
【請求項７】
請求項１ないし６のいずれか一項に記載の駆動力制御装置において、
前記高抵抗部は、段差、路面勾配、あるいは溝幅を含む
ことを特徴とする駆動力制御装置。
【請求項８】
請求項１ないし７のいずれか一項に記載の駆動力制御装置において、
前記駆動力源は、内燃機関とモータとの少なくともいずれか一方を含む
ことを特徴とする駆動力制御装置。
【手続補正２】
【補正対象書類名】明細書
【補正対象項目名】０００６
【補正方法】変更
【補正の内容】
【０００６】
この発明は、上記の目的を達成するために、車両の周辺における路面のそれぞれの走行抵抗の大きさを算出することができる路面抵抗算出部と、前記路面抵抗算出部により算出された走行抵抗の大きさに応じて駆動力源の駆動トルクを制御するトルク制御部とを備えた駆動力制御装置において、前記路面抵抗算出部により算出された走行抵抗が所定値以上となる高抵抗部と車輪との距離を算出することができる距離算出部を更に備え、前記トルク制御部は、前記路面抵抗算出部により算出された走行抵抗の大きさと、前記距離算出部により算出された前記高抵抗部と前記車輪との距離とに応じて、前記高抵抗部を走破可能な駆動トルクを前記駆動力源から出力するように構成されていることを特徴としている。
また、この発明では、前記車両は、周辺の路面状況を検出するカメラを備え、前記路面抵抗算出部は、前記カメラの画像データにより、前記路面の走行抵抗を算出するように構成されていてよい。
また、この発明では、前記高抵抗部を走破する場合は、前記駆動力源の予め定められた上限トルク以上のトルクを出力するように構成されていてよい。
また、この発明では、前記車両の進行方向における前方側の前記高抵抗部を走破するための駆動トルクと、前記駆動力源から出力可能な駆動トルクとに基づいて、前記高抵抗部を走破するために必要な前記車両の慣性力を求め、前記慣性力を発生させるために要する前記高抵抗部までの距離を算出し、前記算出された前記高抵抗部までの距離に基づいて前記車両の減速度を増大させて、前記算出された前記高抵抗部までの距離を確保した地点に停車するように構成されていてよい。
また、この発明では、前記トルク制御部により求められた駆動トルクが、運転操作に基づく駆動トルクよりも大きい場合には、前記車両の運転者に通知するように構成されていてよい。
また、この発明では、前記高抵抗部と前記車両との距離が所定値以下となった場合に、前記トルク制御部により、前記運転操作に基づく駆動トルクよりも大きな駆動トルクが求められてよい。
また、この発明では、前記高抵抗部は、段差、路面勾配、あるいは溝幅を含んでよい。
そして、この発明では、前記駆動力源は、内燃機関とモータとの少なくともいずれか一方を含んでよい。
【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
車両に取り付けられるシリンダと、
前記シリンダ内に摺動自在に挿入され、前記シリンダ内に導かれる流体圧により移動可能なロッドと、
前記ロッドの先端に設けられ、前記ロッドが押し出されることにより車輪の踏面に押し当てられる研摩子と、
前記シリンダから突出する前記ロッドを覆う筒状のブーツと、
前記ロッドに設けられ、前記シリンダに対する前記ロッドの相対移動に伴って、前記ブーツの内部に空気を導くと共に、前記ブーツの内部から空気を排出する給排路と、
前記給排路に設けられ、前記ブーツの外部から内部に異物が混入することを防止するフィルタと、を備え、
前記ロッドは、前記シリンダから突出する端部に、前記ブーツの一端部が固定される固定部を有し、
前記固定部は、前記フィルタを収容する収容部を有し、
前記フィルタは、前記ブーツによって、前記収容部から径方向外方に抜け出ることが防止される
ことを特徴とする踏面清掃装置。
【請求項２】
請求項１に記載の踏面清掃装置において、
前記固定部には、前記ブーツの一端部が嵌入する環状溝が設けられ、
前記収容部は、前記環状溝の底面に設けられる凹部であり、
前記フィルタは、前記ブーツの一端部の端面によって、前記収容部から径方向外方に抜け出ることが防止される
ことを特徴とする踏面清掃装置。
【請求項３】
請求項２に記載の踏面清掃装置において、
前記環状溝を区画する一対の側壁のそれぞれには、外周面から前記収容部に亘って径方向に延びる溝が設けられる
ことを特徴とする踏面清掃装置。
【請求項４】
請求項３に記載の踏面清掃装置において、
前記収容部の底部には、前記一対の側壁の一方の前記溝を通じて前記収容部に導かれる空気を前記一対の側壁の他方の前記溝に向けて案内する案内部が形成される
ことを特徴とする踏面清掃装置。
【手続補正２】
【補正対象書類名】明細書
【補正対象項目名】０００７
【補正方法】変更
【補正の内容】
【０００７】
第１の発明は、シリンダと、シリンダ内に摺動自在に挿入されるロッドと、ロッドの先端に設けられる研摩子と、シリンダから突出するロッドを覆う筒状のブーツと、ロッドに設けられ、シリンダに対するロッドの相対移動に伴って、ブーツの内部に空気を導くと共に、ブーツの内部から空気を排出する給排路と、給排路に設けられ、ブーツの外部から内部に異物が混入することを防止するフィルタと、を備え、ロッドは、シリンダから突出する端部に、ブーツの一端部が固定される固定部を有し、固定部は、フィルタを収容する収容部を有し、フィルタは、ブーツによって、収容部から径方向外方に抜け出ることが防止されることを特徴とする踏面清掃装置である。
【手続補正３】
【補正対象書類名】明細書
【補正対象項目名】０００８
【補正方法】変更
【補正の内容】
【０００８】
第１の発明では、ブーツの外部から内部に向かって導かれる空気に混入する異物が、フィルタによって捕捉される。これにより、ブーツの内部への異物の混入に起因したシリンダとロッドの摺動面の損傷を防止することができる。また、収容部に収容されるフィルタの脱落を効果的に防止することができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
第２の発明は、固定部には、ブーツの一端部が嵌入する環状溝が設けられ、収容部は、環状溝の底面に設けられる凹部であり、フィルタは、ブーツの一端部の端面によって、収容部から径方向外方に抜け出ることが防止されることを特徴とする。
【手続補正７】
【補正対象書類名】明細書
【補正対象項目名】００１２
【補正方法】変更
【補正の内容】
【００１２】
第２の発明では、環状溝に嵌入するブーツの一端部の端面によって、フィルタが径方向外方に移動することを規制できるので、簡易な構成で、フィルタが凹部から脱落することを防止できる。
【手続補正８】
【補正対象書類名】明細書
【補正対象項目名】００１３
【補正方法】変更
【補正の内容】
【００１３】
第３の発明は、環状溝を区画する一対の側壁のそれぞれには、外周面から収容部に亘って径方向に延びる溝が設けられることを特徴とする。
【手続補正９】
【補正対象書類名】明細書
【補正対象項目名】００１４
【補正方法】変更
【補正の内容】
【００１４】
第３の発明では、溝と収容部の加工を同時に行うことにより加工効率を向上できるので、踏面清掃装置の製造コストを低減することができる。
【手続補正１０】
【補正対象書類名】明細書
【補正対象項目名】００１５
【補正方法】変更
【補正の内容】
【００１５】
第４の発明は、収容部の底部には、一対の側壁の一方の溝を通じて収容部に導かれる空気を一対の側壁の他方の溝に向けて案内する案内部が形成されることを特徴とする。
【手続補正１１】
【補正対象書類名】明細書
【補正対象項目名】００１６
【補正方法】変更
【補正の内容】
【００１６】
第４の発明では、案内部によって空気の流れが折り返されるので、空気の流れをスムーズにすることができる。
【手続補正書】
【提出日】令和3年10月28日(2021.10.28)
【手続補正１】
【補正対象書類名】特許請求の範囲
【補正対象項目名】全文
【補正方法】変更
【補正の内容】
【特許請求の範囲】
【請求項１】
操作部および記憶部を有する画像形成装置であって、
印刷ジョブを受信する受信手段と、
前記記憶部に、ユーザ情報と関連づけて前記受信した印刷ジョブを保存する保存手段と、
ユーザのログイン処理を実行するログイン手段と、
ログイン処理が実行された前記ユーザのユーザ情報に関連づけて保存される１以上の印刷ジョブの一覧を前記操作部に表示する第１表示制御手段と、
前記表示される一覧から選択された印刷ジョブに対して、所定の印刷設定項目について、前記操作部で受け付けた変更指示に従い印刷設置値が変更されたことを示す変更履歴情報を取得する取得手段と、
前記選択された印刷ジョブについて、前記取得した変更履歴情報に基づき決定される印刷設定を前記操作部に表示する第２表示制御手段と、
前記第２表示制御手段により表示される印刷設定の選択に基づき、前記一覧から選択された印刷ジョブの印刷設定項目の印刷設定値の変更指示を、前記ユーザから前記操作部で受け付ける受付手段と、
前記受け付けた変更指示に従い変更された前記印刷設定値を含む印刷設定値を用いて前記保存される印刷ジョブを実行する実行手段と、を有することを特徴とする画像形成装置。
【請求項２】
前記受け付けた変更指示に従い変更された前記印刷設定値に基づき更新された変更履歴情報を管理する管理手段を更に有することを特徴とする請求項１に記載の画像形成装置。
【請求項３】
前記所定の印刷設定項目は、前記印刷ジョブを送信した外部装置で設定できなかった印刷設定項目を含むことを特徴とする請求項１または２に記載の画像形成装置。
【請求項４】
前記取得した変更履歴情報に基づき決定される印刷設定は、前記印刷ジョブを送信した外部デバイスで設定できなかった前記印刷設定項目の印刷設定値を含むことを特徴とする請求項１〜３のいずれか１項に記載の画像形成装置。
【請求項５】
操作部および記憶部を有する画像形成装置の制御方法であって、
印刷ジョブを受信する受信工程と、
前記記憶部に、ユーザ情報と関連づけて前記受信した印刷ジョブを保存する保存工程と、
ユーザのログイン処理を実行するログイン工程と、
ログイン処理が実行された前記ユーザのユーザ情報に関連づけて保存される１以上の印刷ジョブの一覧を前記操作部に表示する第１の表示制御工程と、
前記表示される一覧から選択された印刷ジョブに対して、所定の印刷設定項目について、前記操作部で受け付けた変更指示に従い印刷設置値が変更されたことを示す変更履歴情報を取得する取得工程と、
前記選択された印刷ジョブについて、前記取得した変更履歴情報に基づき決定される印刷設定を前記操作部に表示する第２の表示制御工程と、
前記第２の表示制御工程により表示される印刷設定の選択に基づき、前記一覧から選択された印刷ジョブの印刷設定項目の印刷設定値の変更指示を、前記ユーザから前記操作部で受け付ける受付工程と、
前記受け付けた変更指示に従い変更された前記印刷設定値を含む印刷設定値を用いて前記保存される印刷ジョブを実行する実行工程と、を有することを特徴とする画像形成装置の制御方法。
【請求項６】
コンピュータを、請求項１〜４のいずれか１項に記載の画像形成装置が備える各手段として機能させるためのコンピュータプログラム。
【手続補正２】
【補正対象書類名】明細書
【補正対象項目名】発明の名称
【補正方法】変更
【補正の内容】
【発明の名称】画像形成装置、画像形成装置の制御方法およびコンピュータプログラム
【手続補正３】
【補正対象書類名】明細書
【補正対象項目名】００１０
【補正方法】変更
【補正の内容】
【００１０】
上記課題を解決するために、本発明に係る画像形成装置は、操作部および記憶部を有する画像形成装置であって、印刷ジョブを受信する受信手段と、前記記憶部に、ユーザ情報と関連づけて前記受信した印刷ジョブを保存する保存手段と、ユーザのログイン処理を実行するログイン手段と、ログイン処理が実行された前記ユーザのユーザ情報に関連づけて保存される１以上の印刷ジョブの一覧を前記操作部に表示する第１表示制御手段と、前記表示される一覧から選択された印刷ジョブに対して、所定の印刷設定項目について、前記操作部で受け付けた変更指示に従い印刷設置値が変更されたことを示す変更履歴情報を取得する取得手段と、前記選択された印刷ジョブについて、前記取得した変更履歴情報に基づき決定される印刷設定を前記操作部に表示する第２表示制御手段と、前記第２表示制御手段により表示される印刷設定の選択に基づき、前記一覧から選択された印刷ジョブの印刷設定項目の印刷設定値の変更指示を、前記ユーザから前記操作部で受け付ける受付手段と、前記受け付けた変更指示に従い変更された前記印刷設定値を含む印刷設定値を用いて前記保存される印刷ジョブを実行する実行手段と、を有する。
【手続補正書】
【提出日】令和3年9月15日(2021.9.15)
【手続補正１】
【補正対象書類名】特許請求の範囲
【補正対象項目名】全文
【補正方法】変更
【補正の内容】
【特許請求の範囲】
【請求項１】
記録媒体上にインクを吐出するインク吐出口が開口するインク吐出面を有する記録ヘッドを清浄化するワイプユニットであって、
前記インク吐出面に接触可能な１個以上のワイパーと、
前記ワイパーを前記インク吐出面に接触した状態でワイピング方向に沿って移動するワイパーキャリッジと、
前記ワイパーの下方に配置され、前記ワイパーにより拭き取られた前記インクを回収するトレイ面を有する回収トレイと、
前記ワイパーキャリッジに設けられ、前記１個以上のワイパーのうちの前記ワイピング方向の最下流に配置されるワイパーから落下する前記インクを受けるとともに、前記インクを前記トレイ面に落下させる凹状のインク受け部材と、
を備えることを特徴とするワイプユニット。
【請求項２】
前記インク受け部材は、前記インクをワイピング方向上流側の部分から前記トレイ面に落下させることを特徴とする請求項１に記載のワイプユニット。
【請求項３】
前記インク受け部材は、前記ワイパーから落下する前記インクを受け、受けた前記インクを、受けた位置よりも前記ワイピング方向上流側の部分から前記トレイ面に落下させることを特徴とする請求項１または２に記載のワイプユニット。
【請求項４】
前記インク受け部材は、前記ワイピング方向と直交する方向に延びる回転軸を中心として回転可能に設けられているとともに、前記インクを貯留する貯留姿勢と、前記貯留姿勢から前記ワイピング方向の上流端が前記トレイ面に接近する第１回転方向に回転することによって前記インクを前記トレイ面に排出する排出姿勢と、に選択配置され、
前記ワイピング方向の下流に、前記インク受け部材に当接して前記インク受け部材を前記貯留姿勢から前記排出姿勢に回転させる当接部を備えることを特徴とする請求項１から３のいずれか１項に記載のワイプユニット。
【請求項５】
前記当接部は、前記回収トレイの前記ワイピング方向の下流端部に設けられていることを特徴とする請求項４に記載のワイプユニット。
【請求項６】
前記ワイパーキャリッジには、前記インク受け部材を前記第１回転方向とは反対の第２回転方向に付勢する付勢部材が設けられていることを特徴とする請求項４または５に記載のワイプユニット。
【請求項７】
前記当接部は、ワイピング方向下流側に向かって上方に傾斜する傾斜面を有し、
前記インク受け部材は、前記傾斜面に当接する当接片を有し、
前記当接片が前記傾斜面上を前記ワイピング方向の上流側から下流側に移動することによって、前記インク受け部材の姿勢は前記貯留姿勢から前記排出姿勢に変化することを特徴とする請求項４から６のいずれか１項に記載のワイプユニット。
【請求項８】
前記ワイパーを含むワイピング部は、前記ワイパーにより拭き取られた前記インクを落下させるインク落下部を有し、
前記インク落下部は、前記ワイピング方向と直交する幅方向の長さが下方に向かって短くなっていることを特徴とする請求項１〜７のいずれか１項に記載のワイプユニット。
【請求項９】
前記インク受け部材の前記幅方向の長さは、前記ワイピング部の前記幅方向の長さよりも短く、
前記インク落下部の最下端は、前記インク受け部材の真上の位置に配置されていることを特徴とする請求項８に記載のワイプユニット。
【請求項１０】
請求項１〜９のいずれか１項に記載のワイプユニットと、
前記記録媒体上に前記インクを吐出する前記記録ヘッドと、
を備えることを特徴とするインクジェット記録装置。
【手続補正２】
【補正対象書類名】明細書
【補正対象項目名】００１０
【補正方法】変更
【補正の内容】
【００１０】
上記目的を達成するために、本発明の第１の局面のワイプユニットは、記録媒体上にインクを吐出するインク吐出口が開口するインク吐出面を有する記録ヘッドを清浄化する。ワイプユニットは、インク吐出面に接触可能な１個以上のワイパーと、ワイパーを前記インク吐出面に接触した状態でワイピング方向に沿って移動するワイパーキャリッジと、ワイパーの下方に配置され、ワイパーにより拭き取られたインクを回収するトレイ面を有する回収トレイと、ワイパーキャリッジに設けられ、１個以上のワイパーのうちのワイピング方向の最下流に配置されるワイパーから落下するインクを受けるとともに、インクをトレイ面に落下させる凹状のインク受け部材と、を備える。